(57)【特許請求の範囲】
【請求項１】
連続ドラマ番組を記録する記録装置であって、
連続ドラマ番組を記録する記録部と、
前記記録部に記録された連続ドラマ番組を出力する出力部とを有し、
前記記録部に記録された連続ドラマ番組が未再生であって、前記記録部に記録された連続ドラマ番組の次の回が放送されるまでの期間に基づいて設定された通知期限を経過すると、当該記録された連続ドラマ番組が未再生である旨のメッセージを通知することを特徴とする記録装置。
【請求項２】
番組データを記録する記録装置であって、
番組データを記録する記録部と、
前記記録部に記録された番組データを出力する出力部とを有し、
前記記録部に記録された番組データが未再生であって、前記記録部に記録された番組データに含まれる当該番組データに関連する他の番組の情報が示す当該他の番組が放送されるまでの期間に基づいて設定された通知期限を経過すると、当該記録された番組データが未再生である旨のメッセージを通知することを特徴とする記録装置。
【発明の詳細な説明】
【技術分野】
【０００１】
本発明は、デジタルデータの記録・再生・削除に係り、特に記録データの状況を通知するデジタルデータ記録再生装置及び削除条件に合致した記録データを自動的に削除可能なデジタルデータ記録再生装置に関する。
【背景技術】
【０００２】
放送の録画装置として大容量記憶装置を用いることにより、必要な番組だけを選んで録画するのではなく、番組の内容に関わらず一先ず纏めて録画しておいて、録画した数多くの番組の中から見たい番組だけ再生して見るということが可能である。
【０００３】
大容量記憶装置としては、ハードディスク等が広く知られている。
【０００４】
大容量記憶装置と放送受信機の組み合わせとしては、アナログ放送受信機で受信した映像・音声を受信機内部で圧縮してからユーザのハードディスクに自動的に蓄積しておき、ハードディスクに記録された大量の番組の中からユーザが見たい番組を見たいときに見ることができる擬似ビデオ・オン・デマンドを実現するシステム等が知られている。
【０００５】
録画してある番組が未視聴のものか視聴済みのものかをユーザに知らせる方法として、録画番組の一覧表を表示する機能により、番組名等と共に表示される情報の一つとして番組の視聴状況を示すシステム等が知られている。
【発明の開示】
【発明が解決しようとする課題】
【０００６】
デジタルデータの記録再生装置は、デジタル放送のドラマや映画などの番組を、番組の内容に関わらずに纏めて録画しておき、見たい番組だけをあとで再生して見るという使い方が考えられる。しかしながら、録画する番組が多くなると、ある番組については録画しても一度も再生されないということが発生する。
【０００７】
番組の再生状況をユーザに示す手段として、録画番組の一覧表に表示される情報の一つとして再生状況を示すという方法がある。しかし、この方法は、再生状況情報は表示されている情報の中の一部分でしかないことと、更にユーザが一覧表を表示させない限り再生状況について知ることができないことから、再生状況についてユーザに積極的に通知するものではない。
【０００８】
未再生番組は、ユーザにとって必要だがまだ再生されていない番組と、ユーザにとって不要なので再生されていない番組の２種類に大別できる。しかしながら、必要か否かの判断はユーザにしかできないものである。
【０００９】
ユーザにとって不要かもしれない未再生番組が数多く記録媒体に記録されている場合に、例えばビデオテープのように記録装置から容易に取り外し可能な記録媒体ならば、記録容量が足りなくなっても記録媒体を交換するという手段がとれるため、未再生番組の存在をユーザに積極的に通知することの重要度は低い。しかし、例えばハードディスクのように記録装置に内蔵されている記録媒体では、記録媒体を容易に交換できないため、記録容量が不足したら不要な番組を削除しなければならないので、ユーザにとって不要かもしれない未再生番組の存在をユーザに積極的に通知することが重要になる。
【００１０】
また、一度も再生していない番組であるということに気付かないまま、ユーザがその番組を削除してしまうということも発生する。
【００１１】
本発明は上記問題に鑑み、未再生のデータが存在して、ある条件に合致した場合には、未再生データが存在することを示すメッセージ画像を出力することにより、未再生のデータが存在することを明示的にユーザに通知することを目的とする。更に、未再生のデータが削除対象になった場合には、その旨を示すメッセージ画像を出力することにより、まだ一度も再生したことのないデータを誤って削除しないようにユーザに確認を促すことを目的とする。更に、記録データの削除条件を設定して、条件に合致したデータを自動的に削除することを目的とする。
【課題を解決するための手段】
【００１２】
上記課題を解決するために、本発明の一実施の態様は、例えば特許請求の範囲に記載された技術的思想を用いる。
【発明の効果】
【００１３】
以上のように本発明によれば、録画した番組の記録日時情報と再生状況情報とメッセージ通知条件情報を管理して、未再生番組が通知条件に合致した場合にメッセージ画像を出力することにより、録画してもまだ見ていない番組が存在することを明示的にユーザに通知することができる。
【００１４】
更に、未再生番組の存在を示すメッセージ画像と共に該当番組に対する処理を選択できる操作用画像を出力することにより、ユーザは該当番組の再生や削除を指示することができる。
【００１５】
更に、録画した番組の再生状況情報を管理して、録画番組を削除する際、削除対象が未再生番組の場合には、メッセージ画像を出力することにより、まだ一度も再生したことのない番組を誤って削除しないようにユーザに確認を促すことができる。
【００１６】
更に、録画した番組の記録日時情報と再生状況情報と削除条件情報を管理して、削除条件に合致した場合には、該当番組データを自動的に削除することができる。
【発明を実施するための最良の形態】
【００１７】
本発明にかかるデジタルデータ記録再生装置の第１実施例を図面をもとに説明する。図１は、本発明にかかるデジタルデータ記録再生装置の第１実施例を示すブロック図である。図１に於いて、デジタルデータ記録再生装置１００は、入力部１０から入力されたデータを記録するデータ蓄積部１１と、記録データを管理するデータ管理部１４と、ユーザに通知するメッセージ画像を作成するメッセージ作成部１５と、データ蓄積部１１からの出力とメッセージ作成部１５からの出力を合成して出力する出力部１３と、ユーザ入力部１９から入力される情報を処理するユーザ入力処理部１７と、メッセージの通知条件の設定処理を行なう通知条件設定部１８と、各部を制御する制御部１６と、を有して構成される。
【００１８】
データ管理部１４は、データの記録日時などを管理する記録時間管理部１４１とデータの再生状況を管理する再生状況管理部１４２とメッセージの通知条件を管理する通知条件管理部１４３を内部に備えている。
【００１９】
メッセージ通知条件とは、例えば、「記録日時から一定時間（期限）が過ぎた」、「装置の電源がＯＮされた」、「リモコンのあるキーが押された」等である
。
【００２０】
本実施例にかかるデジタルデータ記録再生装置の動作を以下に説明する。
【００２１】
デジタルデータ記録再生装置において、番組を録画する動作例を説明する。制御部１６は入力部１０から入力された映像・音声を含む番組データを記録するようにデータ蓄積部１１を制御する。併せて、データ管理部１４の記録時間管理部１４１を制御して録画番組の記録日時情報を登録する。さらに、再生状況管理部１４２を制御して、録画番組の再生状況情報を「未再生」として登録する。
【００２２】
デジタルデータ記録再生装置において、番組再生を行なう動作例を説明する。制御部１６はユーザから再生要求のあった番組データを取り出すようにデータ蓄積部１１を制御して、出力部１３から出力する。再生状況管理部１４２は、該当番組データが一定時間以上再生されたことを検知すると該当番組データの再生状況情報を「再生済」として登録する。
【００２３】
未再生番組の存在を通知する条件としてユーザから入力される期限情報を設定する動作例を説明する。ユーザから入力される期限情報（例えば、記録日時から一週間など）は、ユーザ入力部１９から入力され、ユーザ入力処理部１７で取り込み、通知条件設定部１８で設定処理を行なって通知条件管理部１４３に登録する。
【００２４】
録画した番組が未再生のまま通知期限を過ぎるとメッセージ画像を作成してユーザに通知する動作例を説明する。図３は未再生番組通知メッセージ画像の表示例を示している。尚、図３に示すメッセージ画像は一例であり、表示内容はこの限りではない。通知条件管理部１４３に登録されている通知条件情報と、記録時間管理部１４１に登録されている記録日時情報と、再生状況管理部１４２に記録されている再生状況情報をチェックし、再生状況が「未再生」状態で且つ通知期限を過ぎた記録データが存在することを検知すると、メッセージ作成部１５を制御して未再生番組の存在を通知するメッセージ画像３００を作成し出力部１３から出力する。
【００２５】
デジタルデータ記録再生装置において、録画した番組を削除する動作例を説明する。まず、再生済み番組を削除する動作例を説明する。制御部１６は、ユーザから番組削除要求を受けると、再生状況管理部１４２に登録されている再生状況情報により該当番組の再生状況を調べる。該当番組の再生状況が「再生済み」の場合は、データ蓄積部１１を制御して該当番組のデータを削除する。併せて、記録時間管理部１４１を制御して該当番組に関連する記録日時情報を削除し、再生状況管理部１４２を制御して該当番組に関連する再生状況情報を削除する。次に、未再生の番組を削除する動作例を説明する。図５は未再生番組削除確認メッセージ画像の表示例を示している。未再生番組削除確認メッセージ画像５００には、削除確認用ボタン画像５０１を含み、ユーザからの入力を受け付ける。尚、図５に示すメッセージ画像は一例であり、表示内容はこの限りではない。制御部１６は、ユーザから番組削除要求を受けると、再生状況管理部１４２に登録されている再生状況情報により該当番組の再生状況を調べる。該当番組の再生状況が「未再生」の場合は、メッセージ作成部１５を制御して、削除対象番組が未再生番組であることを示すメッセージ画像５００を作成し出力部１３から出力してユーザに確認を促す。削除確認用ボタン画像５０１に対してリモコン等の操作によってユーザから削除を許可する入力があった場合には、データ蓄積部１１を制御して該当番組のデータを削除する。併せて、記録時間管理部１４１を制御して該当番組に関連する記録日時情報を削除し、再生状況管理部１４２を制御して該当番組に関連する再生状況情報を削除する。
【００２６】
このようにして、未再生番組が通知条件に合致した場合にメッセージ画像を作成して出力することにより、録画してもまだ見ていない番組があることを明示的にユーザに通知することができる。このメッセージ画像の出力を許可するか否かはユーザが予め設定できる。
【００２７】
また、削除対象が未再生番組の場合には、メッセージ画像を出力することにより、まだ一度も再生したことのない番組を誤って削除しないようにユーザに確認を促すことができる。このメッセージ画像の出力を許可するか否かはユーザが予め設定できる。
【００２８】
本実施例では、未再生番組の存在を通知するメッセージ画像の出力に関して、メッセージ通知条件として、記録日時からの期限をユーザが指定できるため、ユーザの望むタイミングでメッセージ画像を出力できる。
【００２９】
本発明にかかる第２実施例を図面をもとに説明する。図２は、本発明にかかるデジタルデータ記録再生装置の第２実施例を示すブロック図である。
【００３０】
本実施例は、記録する番組データの中に含まれる情報を基にした期限情報を通知条件情報として設定する点に特徴を有しており、図１に示したデジタルデータ記録再生装置と同じ手段は同一の符号で示す。
【００３１】
番組データの中に含まれる情報の例としては、例えば、具体的に通知期限を日時で指定する情報であり、その日時を通知期限として設定する。その他の例としては、例えば、連続ドラマ番組などのように幾つかの番組が関連性を持つことを示す情報であり、その情報を利用して、ある番組（例えば連続ドラマ番組の第一話）を録画したら他の関連する番組（例えば連続ドラマ番組の第二話）が放送されるまでの期間を通知期限として設定する。
【００３２】
第１実施例と異なる点について、その動作を説明する。
【００３３】
まず、通知条件情報を設定する動作例を説明する。制御部１６は、番組データを記録する際に、番組データの中に含まれる情報を基にして期限情報を抽出し、通知条件設定部１８で設定処理を行なって通知条件管理部１４３に登録する。
【００３４】
その他の動作は、第１実施例と同じである。
【００３５】
このようにして、第１実施例と同様に、未再生番組が通知条件に合致した場合にメッセージ画像を作成して出力することにより、録画してもまだ見ていない番組があることを明示的にユーザに通知することができる。このメッセージ画像の出力を許可するか否かはユーザが予め設定できる。
【００３６】
本実施例では、未再生番組の存在を通知するメッセージ画像の出力に関して、メッセージ通知条件として、番組データの中に含まれる情報を基にして記録日時からの期限を指定できるため、番組提供者側の望むタイミングでメッセージ画像を出力できる。
【００３７】
本発明にかかる第３実施例を図面をもとに説明する。
【００３８】
本実施例は、未再生番組の存在を通知するメッセージ画像を出力する際に、該当番組に対する処理をユーザが選択できる操作画像も出力する点に特徴を有しており、図１に示したデジタルデータ記録再生装置と同じ手段で実現できる。
【００３９】
第１実施例と異なる点について、その動作を説明する。
【００４０】
録画した番組が未再生のまま通知期限を過ぎるとメッセージ画像を出力してユーザに通知する動作例を説明する。図４は処理選択用ボタン画像付き未再生番組通知メッセージ画像の表示例を示している。尚、図４に示すメッセージ画像は一例であり、表示内容はこの限りではない。通知条件管理部１４３に登録されている通知条件情報と、記録時間管理部１４１に登録されている記録日時情報と、再生状況管理部１４２に記録されている再生状況情報をチェックし、再生状況が「未再生」状態で且つ通知期限を過ぎた記録データが存在することを検知すると、処理選択用ボタン画像付き未再生番組通知メッセージ画像４００を作成し出力部１３から出力する。このメッセージ画像４００には、該当番組に対する処理をユーザが選択できるように処理選択用ボタン画像４０１を含んでおり、ユーザはリモコン等を操作することによって該当番組に対する処理を選択することができる。未再生番組に対する処理とは、例えば、「今すぐ再生する」「削除する」「メッセージを消す」という処理である。
【００４１】
ユーザの操作に従って未再生番組に対する処理を行なう動作例を説明する。「今すぐ再生する」が選択された場合、データ蓄積部１１から該当番組データを取り出して出力部１３から出力する。併せて、データ管理部１４の再生状況管理部１４２を制御して、該当番組データの再生状況情報を「再生済」として登録する。「削除する」が選択された場合、データ蓄積部１１を制御して該当番組のデータを削除する。併せて、記録時間管理部１４１を制御して該当番組に関連する記録日時情報を削除し、再生状況管理部１４２を制御して該当番組に関連する再生状況情報を削除する。「メッセージを消す」が選択された場合、再生も削除も行なわず、メッセージ作成部１５と出力部１３を制御してメッセージ画像の出力を終了する。
【００４２】
その他の動作は、第１実施例と同じである。
【００４３】
このようにして、第１実施例と同様に、未再生番組が通知条件に合致した場合にメッセージ画像を作成して出力することにより、録画してもまだ見ていない番組があることを明示的にユーザに通知することができる。このメッセージ画像の出力を許可するか否かはユーザが予め設定できる。
【００４４】
本実施例では更に、未再生番組の存在を示すメッセージ画像と共に該当番組に対する処理を選択できる操作用画像を出力することにより、ユーザは該当番組の再生や削除を指示することができる。
【００４５】
本発明にかかるデジタルデータ記録再生装置の第４実施例を図面をもとに説明する。図６は、本発明にかかるデジタルデータ記録再生装置の第４実施例を示すブロック図である。
【００４６】
本実施例は、録画番組の削除条件を設定して、削除条件に合致した番組データを自動的に削除する点に特徴を有しており、図１に示したデジタルデータ記録再生装置と同じ手段は同一の符号で示す。
【００４７】
図６に於いて、デジタルデータ記録再生装置１００は、入力部１０から入力されたデータを記録するデータ蓄積部１１と、記録データを管理するデータ管理部１４と、ユーザに通知するメッセージ画像を作成するメッセージ作成部１５と、データ蓄積部１１からの出力とメッセージ作成部１５からの出力を合成して出力する出力部１３と、ユーザ入力部１９から入力される情報を処理するユーザ入力処理部１７と、記録データの削除条件の設定処理を行なう削除条件設定部２０と、各部を制御する制御部１６と、を有して構成される。
【００４８】
データ管理部１４は、データの記録日時などを管理する記録時間管理部１４１とデータの再生状況を管理する再生状況管理部１４２と記録データの削除条件を管理する削除条件管理部１４４を内部に備えている。
【００４９】
番組の録画・再生の処理に関しては第１実施例と同様であり、第１実施例と異なる点について、その動作を説明する。
【００５０】
録画番組を削除する条件としてユーザからの入力情報を設定する動作例を説明する。ユーザから入力される削除条件情報は、期限情報（例えば記録日時から一週間後など）と再生状況指定情報（再生済み番組指定／未再生番組指定／指定なし）であり、ユーザ入力部１９から入力され、ユーザ入力処理部１７で取り込み、削除条件設定部２０で設定処理を行なって削除条件管理部１４４に登録する。
【００５１】
録画番組が削除条件に合致すると自動的に該当番組を削除する動作例を説明する。削除条件管理部１４４に登録されている削除条件情報と、記録時間管理部１４１に登録されている記録日時情報と、再生状況管理部１４２に記録されている再生状況情報をチェックし、指定された再生状況で且つ削除期限を過ぎた記録データが存在することを検知すると、データ蓄積部１１を制御して該当番組のデータを削除する。併せて、記録時間管理部１４１を制御して該当番組に関連する記録日時情報を削除し、再生状況管理部１４２を制御して該当番組に関連する再生状況情報を削除する。
【００５２】
このようにして、削除条件に合致した録画番組を検知して番組データを自動的に削除することができる。
【００５３】
本実施例では、削除条件として、録画日時から削除までの期限と削除対象にする番組の再生状況をユーザが指定できるため、ユーザの望む条件で録画番組を自動的に削除できる。
【００５４】
本発明にかかる第５実施例を図面をもとに説明する。図７は、本発明にかかるデジタルデータ記録再生装置の第５実施例を示すブロック図である。
【００５５】
本実施例は、記録する番組データの中に含まれる情報を基に削除条件情報を設定する点に特徴を有しており、図６に示したデジタルデータ記録再生装置と同じ手段は同一の符号で示す。
【００５６】
第４実施例と異なる点について、その動作を説明する。
【００５７】
まず、削除条件情報を設定する動作例を説明する。制御部１６は、番組データを記録する際に、番組データの中に含まれる情報を基に削除条件情報を抽出し、削除条件設定部２０で設定処理を行なって削除条件管理部１４４に登録する。
【００５８】
その他の動作は、第４実施例と同じである。
【００５９】
このようにして、第４実施例と同様に、削除条件に合致した録画番組を検知して自動的に番組データを削除することができる。
【００６０】
本実施例では、削除条件として、録画日時から削除までの期限と削除対象にする番組の再生状況を番組データの中に含まれる情報を基にして指定できるため、番組提供者側の望む条件で録画番組を自動的に削除できる。
【００６１】
以上の実施例で説明したデジタルデータ記録再生装置は、装置内部にメッセージ表示手段を備える構成としても構わない。
【図面の簡単な説明】
【００６２】
【図１】本発明にかかるデジタルデータ記録再生装置の第１実施例を示すブロック図である。
【図２】本発明にかかるデジタルデータ記録再生装置の第２実施例を示すブロック図である。
【図３】本発明にかかるデジタルデータ記録再生装置での未再生番組通知メッセージ画像の表示例を示す図である。
【図４】本発明にかかるデジタルデータ記録再生装置での処理選択用ボタン画像付き未再生番組通知メッセージ画像の表示例を示す図である。
【図５】本発明にかかるデジタルデータ記録再生装置での未再生番組削除確認メッセージ画像の表示例を示す図である。
【図６】本発明にかかるデジタルデータ記録再生装置の第４実施例を示すブロック図である。
【図７】本発明にかかるデジタルデータ記録再生装置の第５実施例を示すブロック図である。
【符号の説明】
【００６３】
１０…入力部、１１…データ蓄積部、１３…出力部、１４…データ管理部、１
５…メッセージ作成部、１６…制御部、１７…ユーザ入力処理部、１８…通知条
件設定部、１９…ユーザ入力部、２０…削除条件設定部、１００…デジタルデー
タ記録再生装置、１４１…記録時間管理部、１４２…再生状況管理部、１４３…
通知条件管理部、１４４…削除条件管理部、３００…未再生番組通知メッセージ
画像、４００…操作用画像付き未再生番組通知メッセージ画像、４０１…処理選
択用ボタン画像、５００…未再生番組削除確認メッセージ画像、５０１…削除確
認用ボタン画像
【図１】
0004569567.tif 000002
【図２】
0004569567.tif 000003
【図３】
0004569567.tif 000004
【図４】
0004569567.tif 000005
【図５】
0004569567.tif 000006
【図６】
0004569567.tif 000007
【図７】
0004569567.tif 000008